(57)【特許請求の範囲】
【請求項１】
断面略凹状をなす収納管路用ブロック本体と、該収納管路用ブロック本体の上面を塞ぐ長方形状の蓋部材とを備え、
前記収納管路用ブロックの両側壁上端部には、前記蓋部材の幅方向端部が係止する係止段部が各々内側に対向して形成されると共に、前記係止段部の側壁からは各々水平方向に突出する係止突起が設けられ、
前記長方形状蓋部材の幅方向両側面には前記収納管路用ブロック本体の係止突起を導入する垂直導入路と、導入した係止突起を蓋部材の長さ方向へのスライドにより掛合状態として該蓋部材を閉蓋する前記垂直導入路と連通する水平掛合溝部とよりなる掛合孔部が形成された、
ことを特徴とする収納管路用ブロック。
【請求項２】
断面略凹状をなす収納管路用ブロック本体と、該収納管路用ブロック本体の上面を塞ぐ長方形状の蓋部材とを備え、
前記収納管路用ブロックの両側壁上端部には、前記蓋部材の幅方向端部が係止する係止段部が各々内側に対向して形成されると共に、前記係止段部の側壁からは各々水平方向に突出する係止突起が設けられ、
前記長方形状の蓋部材には、長さ方向先端側端面上部に該蓋部材幅方向に亘り長さ方向に突出して形成された断面方形状をなす突条部が設けられると共に後端側端面には該蓋部材幅方向に亘り切り欠かれて形成され、前記断面方形状をなす突条部が係止する形状の切り欠き部が設けられ、かつ幅方向両側面には前記収納管路用ブロック本体の係止突起を導入する垂直導入路と、導入した係止突起を蓋部材の長さ方向へのスライドにより掛合状態として該蓋部材を閉蓋する前記垂直導入路と連通する水平掛合溝部とよりなる掛合孔部が形成された、
ことを特徴とする収納管路用ブロック。
【請求項３】
前記係止突起は、収納管路用ブロック本体の長さ方向先端側両側面から内側へ対向させて一対設けられ、前記蓋部材に形成された掛合孔部も前記一対の係止突起に対応する位置に設けられた、
ことを特徴とする請求項１または請求項２記載の収納管路用ブロック。
【請求項４】
前記係止突起は、収納管路用ブロック本体の長さ方向先端側両側面から内側へ対向させて一対設けられると共に、長さ方向後端側両側面から内側へ対向させて一対設けられ、前記蓋部材に形成された掛合孔部も前記形成された係止突起に対応する位置に各々設けられた、
ことを特徴とする請求項１または請求項２記載の収納管路用ブロック。
【請求項５】
前記係止突起は、収納管路用ブロック本体の長さ方向先端側一側面から内側へ向けて一つ設けられると共に、長さ方向後端側他側面から内側へ向けて一つ設けられ、前記蓋部材に形成された掛合孔部も前記形成された係止突起に対応する位置に各々設けられた、
ことを特徴とする請求項１または請求項２記載の収納管路用ブロック。
【請求項６】
請求項１または請求項２記載の収納管路用ブロックを長さ方向に接続し、その上に前記蓋部材を載置して形成した収納管路の施工方法であって、
前記蓋部材の閉蓋は、前記係止突起に蓋部材の掛合孔部を被せて導入させ、次いで蓋部材の長さ方向後ろ側へスライドさせ、前記掛合孔部の水平掛合溝部内へ前記係止突起を移動させて掛合状態とし、
前記の方法で順次接続した収納管路における最先端の収納管路用ブロックについては、蓋部材を前記最先端の収納管路用ブロック本体に落とし込み、該収納管路用ブロック本体の両側壁外側からボルトを差し込んで該ボルトを前記蓋部材の幅方向両側面に螺合して閉蓋状態とすることにより、
蓋部材をスライドさせずに取り付け固定可能、かつスライドさせずに取り外し可能の施工とし、かつ当該収納管路ブロックの接続及び蓋部材の閉蓋は収納管路施工の最終段階で行うこと、
を特徴とした収納管路の施工方法。
【発明の詳細な説明】
【産業上の利用分野】
【０００１】
本発明は、例えば、鉄道線路近傍位置等に設けられ、それら鉄道関連施設に使用される配線ケーブル群を収納する配線ケーブル収納用の収納管路用ブロック及び収納管路の施工方法に関するものである。
【従来の技術】
【０００２】
一般に鉄道関連施設等に使用される配線ケーブル群を収納する配線ケーブル収納用管路は、主に鉄道の線路脇等に設けられる。そして、敷設された収納管路及び該収納管路に使用された収納管路用ブロックは、内部に重要な配線ケーブル等が収納されているため簡単に蓋が開けられないように形成しなければならない。しかして従来は、その収納管路の外周をワイヤーロープ等で巻回する等して蓋を開けられないように工夫していた。しかしながら、このような従来構成は、ワイヤーロープをいちいち巻き付ける作業が非常に作業手間になっていた。また、ワイヤーロープを巻き付けた収納管路は外観上も雑然としており、外観の美観の面からもあまり好ましいものではなかった。
【発明が解決しようとする課題】
【０００３】
かくして、本発明は上記の事情に鑑みてなされたものであり、前記のように収納管路用ブロックの外周にワイヤーロープを巻くことなく、しかも作業が簡単で、外観上の美観も整然としていて好ましく、施工工事終了後に容易に蓋を開けることが出来ず、治安上も非常に好ましい収納管路用ブロック及び収納管路の施工方法を提供することを目的とするものである。
【課題を解決するための手段】
【０００４】
かくして本発明による収納管路用ブロックは、
断面略凹状をなす収納管路用ブロック本体と、該収納管路用ブロック本体の上面を塞ぐ長方形状の蓋部材とを備え、
前記収納管路用ブロックの両側壁上端部には、前記蓋部材の幅方向端部が係止する係止段部が各々内側に対向して形成されると共に、前記係止段部の側壁からは各々水平方向に突出する係止突起が設けられ、
前記長方形状蓋部材の幅方向両側面には前記収納管路用ブロック本体の係止突起を導入する垂直導入路と、導入した係止突起を蓋部材の長さ方向へのスライドにより掛合状態として該蓋部材を閉蓋する前記垂直導入路と連通する水平掛合溝部とよりなる掛合孔部が形成された、
ことを特徴とし、
または、
断面略凹状をなす収納管路用ブロック本体と、該収納管路用ブロック本体の上面を塞ぐ長方形状の蓋部材とを備え、
前記収納管路用ブロックの両側壁上端部には、前記蓋部材の幅方向端部が係止する係止段部が各々内側に対向して形成されると共に、前記係止段部の側壁からは各々水平方向に突出する係止突起が設けられ、
前記長方形状の蓋部材には、長さ方向先端側端面上部に該蓋部材幅方向に亘り長さ方向に突出して形成された断面方形状をなす突条部が設けられると共に後端側端面には該蓋部材幅方向に亘り切り欠かれて形成され、前記断面方形状をなす突条部が係止する形状の切り欠き部が設けられ、かつ幅方向両側面には前記収納管路用ブロック本体の係止突起を導入する垂直導入路と、導入した係止突起を蓋部材の長さ方向へのスライドにより掛合状態として該蓋部材を閉蓋する前記垂直導入路と連通する水平掛合溝部とよりなる掛合孔部が形成された、
ことを特徴とし、
または、
前記係止突起は、収納管路用ブロック本体の長さ方向先端側両側面から内側へ対向させて一対設けられ、前記蓋部材に形成された掛合孔部も前記一対の係止突起に対応する位置に設けられた、
ことを特徴とし、
または、
前記係止突起は、収納管路用ブロック本体の長さ方向先端側両側面から内側へ対向させて一対設けられると共に、長さ方向後端側両側面から内側へ対向させて一対設けられ、前記蓋部材に形成された掛合孔部も前記形成された係止突起に対応する位置に各々設けられた、
ことを特徴とし、
または、
前記係止突起は、収納管路用ブロック本体の長さ方向先端側一側面から内側へ向けて一つ設けられると共に、長さ方向後端側他側面から内側へ向けて一つ設けられ、前記蓋部材に形成された掛合孔部も前記形成された係止突起に対応する位置に各々設けられた、
ことを特徴とし、
または、
前記収納管路用ブロックを長さ方向に接続し、その上に前記蓋部材を載置して形成した収納管路の施工方法であって、
前記蓋部材の閉蓋は、前記係止突起に蓋部材の掛合孔部を被せて導入させ、次いで蓋部材の長さ方向後ろ側へスライドさせ、前記掛合孔部の水平掛合溝部内へ前記係止突起を移動させて掛合状態とし、
前記の方法で順次接続した収納管路における最先端部の収納管路用ブロックについては、蓋部材を前記最先端の収納管路用ブロック本体に落とし込み、該収納管路用ブロック本体の両側壁外側からボルトを差し込んで該ボルトを前記蓋部材の幅方向両側面に螺合して閉蓋状態とすることにより、
蓋部材をスライドさせずに取り付け固定可能、かつスライドさせずに取り外し可能の施工とし、かつ当該収納管路ブロックの接続及び蓋部材の閉蓋は収納管路施工の最終段階で行うこと、
を特徴とするものである。
【発明の実施の態様】
【０００５】
以下、本発明の好適な実施例を図に基づいて説明する。
まず、本発明の第１実施例について図１ないし図６を参照して説明する。
図において符号１は断面略凹状をなす収納管路用ブロック本体を示す。この収納管路用ブロック本体１の材質については何ら限定されるものではないが、通常はコンクリート部材により形成される。
次に、符号２は蓋部材を示し、該蓋部材２は、前記収納管路用ブロック本体１の上面を塞ぐよう略長方形状をなす板状部材として形成されている。
【０００６】
ここで、前記収納管路用ブロック本体１の両側壁３，３の上端部には、前記蓋部材２の幅方向端部が係止して載置される係止段部４，４が各々内側に対向して設けられている。
そして、対向する両係止段部４，４の両側壁５，５からは各々水平方向に突出する係止突起６，６が設けられている。
【０００７】
次に蓋部材２の構成につき述べると、該長方形板状をなす蓋部材２の幅方向両側面には裏面側に開口部を有する掛合孔部８が設けられている。
該掛合孔部８は前記係止突起６を導入する垂直導入路１０とこの垂直導入路１０に導入した係止突起６につき蓋部材２をその長さ方向へスライドさせることにより掛合状態にして蓋部材２を閉蓋状態とする前記垂直導入路１０に連通する水平掛合溝部１１とからなっている。
【０００８】
この掛合孔部８の形成については、例えば金属板等でこのような形状に形成し、コンクリート内に埋設して形成すればよい。
しかして、図から理解されるように、長さ方向に接続した収納管路用ブロック本体１の上面に蓋部材２を載せ、次いで後方にスライドさせて、前記掛合孔部８に係止突起６を掛合させ閉蓋状態とするものである。
【０００９】
次に図７ないし図１１を参照して第２実施例につき説明する。
この実施例では、図８から理解されるように、収納管路用ブロック本体１の係止段部４内に設けられた係止突起６は、前記収納管路用ブロック本体１の長さ方向先端側の一側壁５面から内側へ向けて一つ設けられると共に、長さ方向後端側の他側壁５面から内側へ向けて一つ設けられている。
【００１０】
そして、蓋部材２に形成された掛合孔部８も前記収納管路用ブロック本体１に形成された係止突起６に対応する位置に各々設けてある。
このように２カ所での掛合状態でも充分に蓋部材２を閉蓋することが出来る。
さらに、図１２ないし図１６を参照して第３実施例を説明する。
この実施例では、係止突起６，６が収納管路用ブロック本体１の長さ方向先端側における係止段部４，４の両側壁５，５から内側へ対向させて一対設けられていると共に、蓋部材２に形成された掛合孔部８も前記形成された係止突起６，６に対応する位置に各々設けられている。
【００１１】
そして、本実施例において長方形状蓋部材２には、図１５及び図１６から理解されるように、その長さ方向先端側端面上部に該蓋部材２幅方向に亘り長さ方向に突出して形成された断面方形状をなす突条部９が設けられると共に後端側端面には該蓋部材２幅方向に亘り切り欠かれて形成され、前記断面方形状をなす突条部９が係止する形状の切り欠き部７が設けられている。
しかして、本実施例によれば、蓋部材２の先端側で係止突起６を掛合孔部８に掛合させ、蓋部材２の後端側では切り欠き条７を接続すべき次の蓋部材２における突条突起部９で係止することにより全体として閉蓋状態としてある。
【００１２】
次に、本発明による収納管路の施工法につき説明する。
まず、収納管路を敷設すべきある区間において、収納管路用ブロック本体１をその長さ方向に順次接続していく。次いで、先端から２番目の収納管路用ブロック本体１の上面に蓋部材２を載置し、この蓋部材２を後ろ側へ引っ張って掛合孔部８の水平掛合溝部１１内へ係止突起６を係止させ、閉蓋状態とする。この作業を順次行う。
【００１３】
そして、最後に最先端の収納管路用ブロック本体１上に蓋部材１を載置し、閉蓋するのであるが、この蓋部材２については図１７，図１８から理解されるように、後方にスライドして取り付けるのではなく、そのまま下に蓋部材２を落とし込み、収納管路用ブロック本体１の両側壁外側からいわゆる特殊形状のボルト１２を差し込み、このボルト１２を蓋部材２の幅方向両側面に螺合して閉蓋状態とするのである。
このように少なくとも最先端の蓋部材２だけはボルト止めのものとしてある。
【００１４】
ところで、このように敷設した収納管路について通常は蓋部材を開蓋することは出来ないが、ケーブルの破損事故等で緊急にどうしても収納管路内を点検しなければならないとき等は、まず所定敷設箇所で前記最先端に敷設した収納管路用ブロック本体１の蓋部材２を外す。
【００１５】
次いで、２番目以降の収納管路用ブロック本体１についての蓋部材２を先端側にスライドさせ、蓋部材２を開蓋したい箇所のところで前記蓋部材２を上に持ち上げて開蓋すればよい。
そして作業終了後に再びスライド方式で蓋部材２を閉蓋し、前記最先端の蓋部材２を再びボルト１２で螺合し、閉蓋状態とすればよい。
【発明の効果】
【００１６】
かくして本発明は以上の構成からなる。
そして本発明による収納管路用ブロック及び収納管路の施工方法であれば、収納管路用ブロックの外周にワイヤーロープ等を巻くことなく、しかも閉蓋作業が簡単で、外観上の美観も好ましい収納管路を提供できる。また、収納管路施工工事終了後には不特定人が容易に蓋を開けることが出来ず、治安上も非常に好ましい収納管路を提供できる。
そして、収納管路の中間等において、緊急に蓋を開蓋しなければならない事情があったとしても、収納管路及び蓋部材を損傷することなく、かつ比較的容易に所望箇所の蓋を開蓋することが出来るなど優れた効果を奏する。
【図面の簡単な説明】
【図１】本発明による第１実施例の収納管路の構成を説明する説明図（その１）である。
【図２】本発明による第１実施例の収納管路ブロックの構成を説明する説明図（その１）である。
【図３】本発明による第１実施例の収納管路ブロック及び蓋部材の構成を説明する説明図（その１）である。
【図４】本発明による第１実施例の蓋部材の構成を説明する説明図（その１）である。
【図５】本発明による第１実施例の蓋部材の構成を説明する説明図（その２）である。
【図６】本発明による第２実施例の収納管路ブロックの構成を説明する説明図（その１）である。
【図７】本発明による第２実施例の蓋部材の構成を説明する説明図（その１）である。
【図８】本発明による第２実施例の収納管路の構成を説明する説明図（その１）である。
【図９】本発明による第１実施例の蓋部材の構成を説明する説明図（その１）である。
【図１０】本発明による第１実施例の蓋部材の構成を説明する説明図（その２）である。
【図１１】本発明による第２実施例の収納管路ブロックの構成を説明する説明図（その２）である。
【図１２】本発明による第３実施例の収納管路の構成を説明する説明図（その１）である。
【図１３】本発明による第３実施例の収納管路ブロックの構成を説明する説明図（その１）である。
【図１４】本発明による第３実施例の収納管路ブロックの構成を説明する説明図（その２）である。
【図１５】本発明による第３実施例の蓋部材の構成を説明する説明図（その１）である。
【図１６】本発明による第３実施例の蓋部材の構成を説明する説明図（その２）である。
【図１７】最先端に敷設される収納管路ブロック及び蓋部材の構成を示す説明図である。
【図１８】最先端に敷設される収納管路ブロックの構成を示す説明図である。
【符号の説明】
１ 収納管路用ブロック本体
２ 蓋部材
３ 側壁
４ 係止溝条
５ 係止溝条の側壁
６ 係止突起
７ 切り欠き部
８ 掛合孔部
９ 突条部
１０ 垂直導入路
１１ 水平掛合溝部
１２ ボルト
【図１】
0004479942.tif 000002
【図２】
0004479942.tif 000003
【図３】
0004479942.tif 000004
【図４】
0004479942.tif 000005
【図５】
0004479942.tif 000006
【図６】
0004479942.tif 000007
【図７】
0004479942.tif 000008
【図８】
0004479942.tif 000009
【図９】
0004479942.tif 000010
【図１０】
0004479942.tif 000011
【図１１】
0004479942.tif 000012
【図１２】
0004479942.tif 000013
【図１３】
0004479942.tif 000014
【図１４】
0004479942.tif 000015
【図１５】
0004479942.tif 000016
【図１６】
0004479942.tif 000017
【図１７】
0004479942.tif 000018
【図１８】
0004479942.tif 000019